(57)【特許請求の範囲】
【請求項１】
基礎スラブ上に、該基礎スラブとの間で排水路を構成する少なくとも１本の排水溝が形成された合成樹脂発泡板からなる排水パネルが敷設され、この排水パネル上に床スラブが構築される排水性床の施工方法において、
前記排水パネルは、その高さ方向に、前記排水溝の少なくとも一部と交差する貫通孔が設けられたものであって、
該排水パネルを基礎スラブ上に敷設する前若しくは敷設した後、前記貫通孔にコップ状の容器を嵌め込み、
基礎スラブ上に敷設された該排水パネル上にコンクリートを打設して、床スラブを構築すると同時に、該コップ状の容器内にコンクリートの支柱を形成することを特徴とする排水性床の施工方法。
【請求項２】
前記排水パネルは、前記貫通孔が複数設けられたパネルであることを特徴とする請求項１に記載の排水性床の施工方法。
【請求項３】
基礎スラブ上に、該基礎スラブとの間で排水路を構成する少なくとも１本の排水溝が形成された合成樹脂発泡板からなる排水パネルが敷設され、この排水パネル上に床スラブが構築される排水性床構造において、
前記排水パネルは、その高さ方向に、前記排水溝の少なくとも一部と交差する貫通孔が設けられているものであって、該貫通孔にはコップ状の容器が嵌め込まれており、
該容器内に、前記床スラブと一体に形成されたコンクリートの支柱が形成されていることを特徴とする排水性床構造。
【請求項４】
前記支柱の周りの少なくとも一部に、該支柱により分断された排水溝を連通させる空間が形成されていることを特徴とする請求項３に記載の排水性床構造。
【請求項５】
前記排水パネルは、前記貫通孔が複数設けられたパネルであることを特徴とする請求項３又は４に記載の排水性床構造。
【請求項６】
合成樹脂発泡板の下面に少なくとも１本の排水溝が形成された排水パネルにおいて、
該パネルの高さ方向に、前記排水溝の少なくとも一部と交差する貫通孔が設けられていて、且つ、パネル上面から見える貫通孔内の領域を塞いだ場合に分断される排水溝を連通させる空間が、該貫通孔の周りの少なくとも一部に形成されていることを特徴とする請求項３に記載の排水性床構造に用いられる排水パネル。
【請求項７】
前記貫通孔が複数設けられていることを特徴とする請求項６に記載の排水パネル。
【発明の詳細な説明】
【０００１】
【発明の属する技術分野】
本発明は、湧水や結露水等の排水路を確保するように施工される建物地下室の排水性床構造及びその施工方法、更にはかかる排水性床構造に用いられる合成樹脂発泡板製の排水パネルに関する。
【０００２】
【従来の技術】
建物の地下室においては、湧水や結露水を排出するために基礎スラブと床スラブの間に排水ピットを設け、この排水ピットで集水した湧水や結露水を排水ポンプで地上に排出できるようにするのが一般的である。
【０００３】
ところで、上記排水ピットのスペースを確保するためには、地下を深く掘り下げるか地下室のスペースを犠牲にしなければならない。
【０００４】
そこで、排水ピットのようにスペースをとらずに床面下に集水用の排水路を確保するために、基礎スラブとの間で排水路を構成する排水溝が形成された合成樹脂発泡板からなる排水パネルを、基礎スラブ上に敷き並べ、この排水パネル上に床スラブを構築した排水性床構造並びにその施工方法が提案されている（本出願人による特開平８−６８０６５号公報）。
【０００５】
即ち、この工法によると、排水パネルの下面に形成された排水溝が床スラブの構築後も排水路として残されるので、この排水溝を介して水を所定の集水部に導くことができ、しかも床面下のわずかなスペースで排水路を確保することができる。
【０００６】
また、上記の排水性床構造が適用される建物地下室は、駐車場として利用されることが多く、床スラブ上に大きな荷重が加わることが多い。そこで、このような大きな加重に耐えられるようにするために、基礎スラブと床スラブを連結するコンクリート製の柱状部分を部分的に形成することがある。具体的には、図９に示すように、コーナー部分を切り欠いた排水パネル１０１を基礎スラブ上に敷き並べ、そのコーナー部分に空所１０２を形成し、その上にコンクリートを打設して床スラブを構築することにより、かかる空所１０２部分に柱状部分を部分的に形成するものである（特公昭６３−１６５３７号公報）。また、図１０に示すように、排水パネル１０１に上下に貫通する連通穴１０３を設け、かかる連通穴１０３部分に柱状部分を部分的に形成するものである（特開平５−２３９８３８号公報）。
【０００７】
【発明が解決しようとする課題】
上記の排水性床構造に適用される排水パネルにおいては、隣接して敷設されるパネル相互で排水溝が連続する必要があるため、かかる排水溝はパネル側面に開口している必要がある。また、充分な排水能力とスムーズな排水性を確保するためには、上記排水溝は、十分な面積（容積）でバランス良く密に形成する必要がある。
【０００８】
しかしながら、前記従来の方法により基礎スラブと床スラブを連結する柱状部分を施工する場合、パネルコーナーの切り欠き部分（図９）若しくは連通穴（図１０）と排水溝が連通していると、コンクリート打設時に排水溝内にコンクリートが流れ込み、排水機能が損なわれる問題があった。
【０００９】
また、パネルコーナーの切り欠き部分若しくは連通穴と排水溝との連通を防ごうとすると、排水溝及び柱状部分の形成位置が限定され、これらを密に配置することができず、充分な排水能力とスムーズな排水性を確保すると同時に、床スラブにかかる荷重を効率良く分散させることは甚だ困難であるという問題があった。特に、図９に示した従来例では、上記柱状部分の形成位置は各排水パネルのコーナー部分に限定されるため、大判パネルを用いた場合には柱状部分の間隔が広くなり、床スラブにかかる荷重を効率良く分散させることができず、パネルの大きさが限定されるという問題もあった。
【００１０】
また、図９及び図１０に示した従来例では、コンクリートを打設して床スラブを構築する際に、パネルコーナーの切り欠き部分若しくは連通穴を介してパネルと基礎スラブの間にコンクリートが廻り込むことにより、パネルが浮き上がることも予想され、施工上問題がある。
【００１１】
本発明は、このような従来の問題点に鑑みてなされたもので、基礎スラブと床スラブを連結する柱状部分を有する排水性床構造において、柱状部分の施工をより確実に良好に行い得るようにすると共に、かかる柱状部分により排水機能が損なわれないようにすることを目的とする。また、本発明の目的は、柱状部分が、排水機能上邪魔にならず、充分な排水能力とスムーズな排水性を容易に確保し得る排水性床構造を提供することを目的とする。更に、本発明の目的は、パネル寸法に拘束されることなく柱状部分を任意の位置に形成し得る排水性床構造を提供することを目的とする。
【００１２】
【課題を解決するための手段】
上記目的を達成すべく成された本発明の構成は、以下の通りである。
【００１３】
即ち、本発明の第一は、基礎スラブ上に、該基礎スラブとの間で排水路を構成する少なくとも１本の排水溝が形成された合成樹脂発泡板からなる排水パネルが敷設され、この排水パネル上に床スラブが構築される排水性床の施工方法において、
前記排水パネルは、その高さ方向に、前記排水溝の少なくとも一部と交差する貫通孔が設けられたものであって、
該排水パネルを基礎スラブ上に敷設する前若しくは敷設した後、前記貫通孔にコップ状の容器を嵌め込み、
基礎スラブ上に敷設された該排水パネル上にコンクリートを打設して、床スラブを構築すると同時に、該コップ状の容器内にコンクリートの支柱を形成することを特徴とする排水性床の施工方法にある。
【００１４】
また、本発明の第二は、基礎スラブ上に、該基礎スラブとの間で排水路を構成する少なくとも１本の排水溝が形成された合成樹脂発泡板からなる排水パネルが敷設され、この排水パネル上に床スラブが構築される排水性床構造において、
前記排水パネルは、その高さ方向に、前記排水溝の少なくとも一部と交差する貫通孔が設けられているものであって、該貫通孔にはコップ状の容器が嵌め込まれており、
該容器内に、前記床スラブと一体に形成されたコンクリートの支柱が形成されていることを特徴とする排水性床構造にある。
【００１５】
更に、本発明の第三は、合成樹脂発泡板の下面に少なくとも１本の排水溝が形成された排水パネルにおいて、
該パネルの高さ方向に、前記排水溝の少なくとも一部と交差する貫通孔が設けられていて、且つ、パネル上面から見える貫通孔内の領域を塞いだ場合に分断される排水溝を連通させる空間が、該貫通孔の周りの少なくとも一部に形成されていることを特徴とする上記本発明の第二の排水性床構造に用いられる排水パネルにある。
【００１６】
本発明の施工方法によれば、基礎スラブ上に敷設された排水パネル上にコンクリートを打設して、基礎スラブと床スラブを連結する支柱（柱状部分）と床スラブとを同時に構築するに際し、かかる支柱の元となる排水パネルに形成された貫通孔に、予めコップ状の容器を嵌め込んでおくため、当該貫通孔を介してパネルと基礎スラブの間にコンクリートが廻り込むことがない。したがって、パネルが浮き上がる心配が無く、床スラブを容易に良好な状態で施行することができる。
【００１７】
また、当該貫通孔と排水溝が交差しても当該貫通孔から排水溝内にコンクリートが流れ込むことがないため、排水パネルに設ける貫通孔と排水溝はその形成位置及び形状・大きさ等に制約が無い。したがって、本発明においては、排水パネルの寸法に拘らず基礎スラブと床スラブを連結する支柱を任意の位置に形成することができ、床スラブにかかる荷重を効率よく基礎スラブに分散して伝達させることができると共に、排水溝を十分な面積（容積）でバランス良く密に形成することができ、充分な排水能力とスムーズな排水性を容易に確保することができる。
【００１８】
また、本発明の施工方法によれば、排水パネルに形成された貫通孔に嵌め込むコップ状の容器の形状を、貫通孔の形状に応じて適宜設計することにより、前記支柱の周りに、該支柱により分断された排水溝を連通させる空間を形成することができる。具体的には（詳しくは後述する）、例えば前記貫通孔が円柱状若しくは角柱状の場合には、円錐台若しくは角錐台の形状を有するコップ状の容器を嵌め込むことにより、支柱の周りに排水溝を連通させる前記空間を形成することができ、支柱が排水機能上邪魔にならず、充分な排水能力とスムーズな排水性をより一層容易に確保することができる。
【００１９】
また、本発明の施工方法及び排水性床構造において、排水パネルとして本発明の排水パネルを用いた場合には、支柱の周りに排水溝を連通させる空間を所望の大きさで形成することができ、充分な排水能力とスムーズな排水性をより一層容易に確保することができる。
【００２０】
【発明の実施の形態】
図１は本発明の排水性床構造に用いることができる排水パネルＡの一実施形態を示すもので、図１（ａ）はパネル下面側の斜視図、図１（ｂ）はパネル上面側の斜視図である。本排水パネルＡは、合成樹脂発泡板で構成されているもので、その下面全周縁に亙ってコーナーを切り欠くようにすることで、外側方が開放された排水溝１ａが形成されている。また、やはり下面に、端部が周縁の排水溝１ａに連なる排水溝１ｂが縦横に形成されている。さらに、その中心部に、排水溝１ｂと交差する貫通孔２が設けられている。
【００２１】
図２は、図１に示した排水パネルＡを縦横に敷き詰めた様子を示した上面であり、各排水パネルＡには、外側方が開放された排水溝１ａが全周縁に形成されているので、相隣接して敷設される排水パネルＡ間の平面位置関係に拘らず、相隣接する排水パネルＡの排水溝１ａ同志は必ず連結されることになる。また、周縁の排水溝１ａに連通している各排水パネルＡの縦横の排水溝１ｂも相互に連通したものとなる。
【００２２】
図３は、図１に示した排水パネルＡを用いた本発明の排水性床構造の一実施形態を模式的に示した縦断面図であり、基礎スラブ１１上に図２に示したように敷設された複数の排水パネルＡ上に床スラブ１２が構築されたものである。本排水性床構造において、基礎スラブ１１上に相隣接して敷設された排水パネルＡの排水溝１ａは、排水路１３ａを構成しており、排水溝１ｂは、排水路１３ｂを構成している。そして、外壁部１７の壁面に生じた結露水や湧水は、排水ダクト１８によって排水路１３ｃへと導かれ、さらに相互に連通する排水路１３ａ及び排水路１３ｂを通して集水部（図示されていない）へと導かれ、ポンプ等によって地上へ排出されることになる。
【００２３】
本発明の排水性床構造においては、排水パネルＡに設けられた貫通孔２には、コップ状の容器１４が嵌め込まれ、この容器１４内に、床スラブ１２と一体に形成されたコンクリートの支柱１５が形成される。
【００２４】
次に、本排水性床構造の施工手順を説明する。
【００２５】
まず、基礎スラブ１１上に排水パネルＡを敷設する。排水パネルＡの並べ方は、縦横一直線状が一般的であるが、図１に示したように下面全周縁に亙ってコーナーを切り欠いて外側方が開放された排水溝１ａが形成されているパネルを用いる場合には、相隣接する排水パネルＡ間の平面位置関係に拘らず、相隣接する排水パネルＡの排水溝１ａ（及び排水溝１ｂ）同志は必ず連結されるので、例えば千鳥状等の並べ方も可能である。また、相隣接して敷設された排水パネルＡの周辺部においても、排水ダクト１８の開口高ささえ排水溝１ａの高さ内に調整しておけば、上記と同様に、排水ダクト１８と排水パネルＡの平面位置関係に拘らず、排水ダクト１８を確実に排水溝１ａに連結することができる
排水パネルＡを敷設した後、排水パネルＡ間の継ぎ目を粘着テープ１６で覆う。これは、図１に示した排水パネルＡを用いた本排水性床構造においては、排水パネルＡ間の継ぎ目の全長に亙って、その直下が排水溝１ａによる排水路１３ａとなることから、後述するコンクリートの打設時にこの継ぎ目からノロが排水溝１ａ内に流れ込むと、形成される排水路１３ａが分断され、排水が不完全になるためである。また、内壁部１９等の周囲の建物構造部と排水パネルＡ間の継ぎ目も、同様の理由から粘着テープ１６で覆う。
【００２６】
次いで、排水パネルＡに設けられた貫通孔２に、コップ状の容器１４を嵌め込む。容器１４の高さは、少なくとも排水溝の高さよりも高いことが必要である。容器１４の高さが排水溝の高さよりも低いと、容器１４の底部が基礎スラブ１１上に接した状態で、貫通孔２と排水溝１３ｂが連通し、後述するコンクリートの打設時に、排水溝１ｂ内にノロが流れ込んでしまう。
【００２７】
図３には容器１４と排水パネルの高さが略同じ場合を示している。このような場合には、容器１４の上端部を鍔状に折り曲げておくことが好ましい。これにより、貫通孔２と容器１４との間に隙間が生じないように、容器１４を容易に装着することができる。
【００２８】
容器１４の材質は、コンクリートの打設時にノロが排水溝１ｂ内に流れ込むのを防止できる強度を有するものであれば特に限定されず、貫通孔２のサイズが比較的小さく、且つ円柱状の場合には、厚手の紙コップを用いることもできる。
【００２９】
容器１４の形状は、貫通孔２の形状に応じて適宜設計される。図３に示した例では、円柱状の貫通孔２に円錐台状の容器１４（一般的な紙コップと同様のもの）が嵌め込まれており、容器１４の周りには、排水溝１ｂを連通させる空間２０が形成されている。
【００３０】
尚、貫通孔２への容器１４の嵌め込みは、排水パネルＡを敷設する前であっても、排水パネルＡを敷設した後であって排水パネルＡ間の継ぎ目を粘着テープ１６で覆う前であっても構わない。
【００３１】
次いで、敷設した排水パネルＡ上に配筋（不図示）を施した後、排水パネルＡ上にコンクリートを打設し、床スラブ１２を構築すると共に、容器１４内に床スラブ１２と一体に形成されたコンクリートの支柱１５を形成し、本排水性床の施工を完了する。
【００３２】
上記のように本発明によれば、基礎スラブ１１と床スラブ１２を連結する支柱１５の形成に際し、支柱１５の元となる貫通孔２に予めコップ状の容器１４を嵌め込んでおくため、貫通孔２からこれと交差する排水溝１ｂ内にコンクリートが流れ込むことがない。
【００３３】
このため、本発明で用いる排水パネルには、任意な位置に貫通孔及び排水溝を形成することができる。即ち、本発明においては、基礎スラブと床スラブを連結する支柱を任意の位置に形成することができ、床スラブにかかる荷重を効率よく基礎スラブに分散して伝達させるように設計することが容易であると共に、排水溝を十分な面積（容積）でバランス良く密に形成することができ、充分な排水能力とスムーズな排水性を容易に確保することができるものである。
【００３４】
また、図３に示した例では、円錐台状の容器１４の周りに形成された空間２０が支柱１５を形成した後にもそのまま残るため、支柱１５が排水機能上全く邪魔にならない。一方、容器１４として円柱状のものを用いた場合には、支柱１５によって図２中に斜線で示した領域が排水路として機能しなくなるが、このような場合には、上記の領域が極力狭くなるように排水溝の形成位置を設計すれば良い。
【００３５】
また、本発明で用いる排水パネルには、例えば、図４に示すように複数の貫通孔２を設けておくこともできる。尚、床スラブ１２にかかる荷重をバランスよく基礎スラブ１１に分散して伝達させる点を考慮すると、複数のパネルを相隣接して敷設した場合に貫通孔２が一定の間隔で配置されるのが好ましい。即ち、支柱１５が一定の間隔で形成されるのが好ましい。
【００３６】
また、本発明においては、排水パネルとして、複数のパネルを相隣接して敷設した場合にその継ぎ目部分に貫通孔が形成されるものを用いることもできる。その一例を図５に示す。図５に示したパネルでは、中央部に貫通孔２を有すると共に、そのコーナー部に貫通孔を形成するための１／４円柱状の切欠加工が施されている。即ち、このパネルは、図９に示した場合と同様に、４枚のパネルの突き合わせ部分にも貫通孔が形成されるものである。
【００３７】
次に、本発明の施工方法及び排水性床構造に用いることのできる本発明の排水パネルについて説明する。
【００３８】
図６及び図７は、本発明の排水パネルＢの一実施形態を示した上面図であり、図６は貫通孔２を１つ設けた例、図７は貫通孔２を４つ設けた例である。本排水パネルＢにおいても、図１の排水パネルＡと同様、排水溝１ａ及び排水溝１ｂが形成されており、貫通孔２は排水溝１ｂと交差している。そして、本発明の排水パネルＢには、更に、パネル上面から見える貫通孔２内の領域を塞いだ場合に分断される排水溝を連通させる空間３が、貫通孔２の周りに形成されている。
【００３９】
上述の本発明の排水パネルＢ（図６）を用いて構築した本発明の排水性床構造の一実施形態を図８に示す。本排水性床構造においても、貫通孔２にはコップ状の容器１４が嵌め込まれ、この容器１４内に、床スラブ１２と一体に形成されたコンクリートの支柱１５が形成される。一方、支柱１５の周りには前記空間３がそのまま残り、かかる空間３は当該支柱１５によって分断された排水溝を連通させることができる。即ち、本発明の排水パネルＢを用いれば、排水性を考慮して空間３を所望の広さで形成することができる。
【００４０】
前述のように本発明の排水性床構造によれば、床スラブにかかる荷重を効率よく基礎スラブに分散して伝達させるように支柱１５の設計が可能であるが、床スラブ１２上に特に大きな荷重が加わる場合を考慮すると、本発明に係る排水パネルは押し出し発泡成形体が好ましく、特に発泡倍率が２０倍〜４０倍のポリスチレンの押し出し発泡成形体であることが好ましい。
【００４１】
排水パネルを構成する合成樹脂発泡体としては、例えばポリスチレン、ポリウレタン、ポリエチレン、ポリ塩化ビニル、フェノール樹脂等の発泡体が使用できるが、耐圧強度的に優れ、吸湿性も小さいことから、独立気泡の押し出し発泡成形体が好ましい。特に、吸水率が０．０１以下であり、圧縮強さが２．５〜１０ｋｇｆ／ｃｍ2 である、発泡倍率が２０倍〜４０倍のポリスチレンの押し出し発泡成形体が好ましい。
【００４２】
排水パネルの平面形状は、一般的には方形で、特に正方形が好ましいが、敷設場所によってはその他の形状とすることもできる。
【００４３】
本発明においては、排水パネルの大きさに拘らず所望の位置に支柱を形成することができるため、排水パネルの大きさは特に限定されないが、敷設時の作業性を考慮すると、例えば平面正方形とした場合、一辺が５００〜１５００ｍｍであることが好ましく、更に好ましくは７００〜１２００ｍｍである。
【００４４】
排水パネルの厚さｔは、２０〜２００ｍｍであることが好ましく、更に好ましくは５０〜１５０ｍｍである。薄過ぎると排水溝１ａ，１ｂの深さを充分とりにくく、また厚くし過ぎるとスペース上の無駄を生じる。
【００４５】
周縁及び縦横の排水溝１ａ，１ｂは、どちらか一方のみとすることもできるが、前述したように排水溝の連通容易性による施工性と、充分な排水能力とスムーズな排水性の確保の面から、図１，図７及び図８に示したように双方の排水溝を形成するのが好ましい。
【００４６】
周縁及び縦横の排水溝１ａ，１ｂの深さｈは、排水パネルの厚さｔの１／４〜３／４であることが好ましく、更に好ましくは１／３〜２／３である。深くし過ぎると排水パネルが割れやすくなり、また浅過ぎると充分な排水量を得にくくなる。尚、これら排水溝の断面形状は、方形に限らず、三角形、半円形等とすることもできる。
【００４７】
縦横の排水溝１ｂの幅ｗb は、１０〜５０ｍｍ程度が好ましく、更に好ましくは２０〜３０ｍｍ程度である。周縁の排水溝１ａの幅ｗa をこの縦横の排水溝１ｂの幅と等しくしておいてもよいが、排水溝１ａの幅ｗa を排水溝１ｂの幅ｗb の１／２としておくと、排水パネルを敷設後に排水溝１ａ，１ｂによって形成される全排水路の幅をほぼ等しくすることができる。
【００４８】
貫通孔２の大きさは、前述の例のように例えば円柱状である場合には、その直径は通常５０〜２００ｍｍ程度である。尚、本発明の排水パネルを用いる場合には、貫通孔２に形成される支柱１５は排水機能上邪魔にならないため、場合によってはこれよりも大きくすることもできる。また、貫通孔２の周囲に形成する空間３の深さは、周縁及び縦横の排水溝１ａ，１ｂの深さｈと同じにすることができ、その幅は排水性を考慮して設計される。
【００４９】
【発明の効果】
本発明は、以上説明した通りのものであり、次の効果を奏するものである。
（１）床スラブを構築する際に、貫通孔を介してパネルと基礎スラブの間にコンクリートが廻り込むことがないため、パネルが浮き上がる心配が無く、床スラブを容易に良好な状態で施行することができる。
（２）排水パネルに設けた貫通孔と排水溝が交差していても、床スラブを構築する際に当該貫通孔から排水溝内にコンクリートが流れ込むことがないため、貫通孔と排水溝の位置及び形状・大きさ等を自由に設計できる。従って、基礎スラブと床スラブを連結する支柱を任意の位置に形成することができ、床スラブにかかる荷重を効率よく基礎スラブに分散して伝達させることができると共に、排水溝を十分な面積（容積）でバランス良く密に形成することができ、充分な排水能力とスムーズな排水性を容易に確保することができる。
（３）コップ状の容器の形状を貫通孔の形状に応じて適宜設計することにより、支柱の周りに排水溝を連通させる空間を形成することができ、支柱による排水の妨げを防止することができる。
（４）排水パネルとして本発明の排水パネルを用いた場合には、支柱の周りに排水溝を連通させる空間を任意の大きさで形成することができるため、充分な排水能力とスムーズな排水性をより一層容易に確保することができる。
（５）排水パネルの大きさに拘らず、支柱を任意の位置に形成することができるため、作業性に応じて所望の大きさの排水パネルを選定することができる。
【図面の簡単な説明】
【図１】本発明に係る排水パネルの一実施例を示す下面側及び上面側からの斜視図である。
【図２】図１の排水パネルを敷設した状態の上面図である。
【図３】本発明に係る排水性床構造及び施工方法の説明図である。
【図４】本発明に係る排水パネルの他の実施例を示す上面図である。
【図５】本発明に係る排水パネルの他の実施例を示す上面図である。
【図６】本発明の排水パネルの一実施例を示す上面図である。
【図７】本発明の排水パネルの他の実施例を示す上面図である。
【図８】図６の排水パネルを用いた本発明に係る排水性床構造の説明図である。
【図９】従来技術を説明するための図である。
【図１０】従来技術を説明するための図である。
【符号の説明】
Ａ，Ｂ  排水パネル
１ａ，１ｂ  排水溝
２  貫通孔
３  貫通孔の周囲に設けた空間
１１  基礎スラブ
１２  床スラブ
１４  コップ状の容器
１５  支柱
１６  粘着テープ
１７  外壁部
１８  排水ダクト
１９  内壁部
２０  空間
１０１  排水パネル
１０２  空所
１０３  連通穴
【図１】
0003720465.tif 000002
【図２】
0003720465.tif 000003
【図３】
0003720465.tif 000004
【図４】
0003720465.tif 000005
【図５】
0003720465.tif 000006
【図６】
0003720465.tif 000007
【図７】
0003720465.tif 000008
【図８】
0003720465.tif 000009
【図９】
0003720465.tif 000010
【図１０】
0003720465.tif 000011